(57)【要約】【課題】電極端子による本体ケーシングの損傷を低減できる空気調和機を提供する。【解決手段】ケーシング本体２の上部の各側面には把手部１０１が設けられている。把手部１０１は、プラグ本体１０４および電極端子１０５，１０５を収容可能、かつ、プラグ本体１０４を係止可能である。これにより、把手部１０１によってプラグ本体１０４と共に電極端子１０５，１０５を拘束できるので、電極端子１０５，１０５によるケーシング本体２や前面パネル３の損傷を低減できる。【選択図】図２
2010054126.tif 000002
【特許請求の範囲】
【請求項１】
把手部(１０１)が設けられた本体ケーシング(１)と、
一端が上記本体ケーシング(１)に連接する電源コード(１０３)と、この電源コード(１０３)の他端に連接するプラグ本体(１０４)と、このプラグ本体(１０４)の先端面から突出する電極端子(１０５，１０５)とを有する電源プラグと
を備え、
上記把手部(１０１)は、上記プラグ本体(１０４)および電極端子(１０５，１０５)を収容可能、かつ、上記プラグ本体(１０４)を係止可能であることを特徴とする空気調和機。
【請求項２】
請求項１に記載の空気調和機において、
上記把手部(１０１)に上記プラグ本体(１０４)および電極端子(１０５，１０５)を収容し、上記プラグ本体(１０４)を係止した状態で、上記電極端子(１０５，１０５)は上記本体ケーシング(１)との間に隙間を有することを特徴とする空気調和機。
【請求項３】
請求項１または２に記載の空気調和機において、
上記把手部(１０１)は、上記プラグ本体(１０４)が当接する一対の当接面(１０７，１０７，２０７，２０７)を有し、
上記当接面(１０７，１０７，２０７，２０７)同士の間の距離は、上記プラグ本体(１０４)を挿入する方向に進むにつれて小さくなることを特徴とする空気調和機。
【請求項４】
請求項１から３までのいずれか一項に記載の空気調和機において、
上記把手部(１０１)は、上記プラグ本体(１０４)を係止する突起部(２０８)を有することを特徴とする空気調和機。
【発明の詳細な説明】
【技術分野】
【０００１】
本発明は空気調和機に関する。
【背景技術】
【０００２】
通常、空気調和機の本体ケーシングには、電源コードの一端部が接続されている。そして、上記電源コードの他端部には、コンセントに挿入される電極端子が設けられている。
【０００３】
また、上記空気調和機はダンボール箱内に収容されて輸送される。このとき、上記電源コードがダンボール箱内で自由に動ける状態であると、電源コードの電極端子が板形状の金属からなるため、本体ケーシングに傷を付けることがある。
【０００４】
このような本体ケーシングの損傷を避けるための加湿装置が、実開平０４−０１９８３号公報（特許文献１）に開示されている。
【０００５】
上記加湿装置は、本体ケーシングと、この本体ケーシング内に配置された給水タンクと、本体ケーシングから導出された電源プラグとを備えている。
【０００６】
上記電源プラグの先端部には、プラグ本体と、このプラグ本体の先端面から突出する電極端子とが設けられている。
【０００７】
上記給水タンクの側壁には、プラグ本体および電極端子を収容可能な凹部を設けている。そして、上記本体ケーシングにおいて凹部に対向する箇所に貫通孔を設けている。
【０００８】
上記構成の加湿装置によれば、プラグ本体および電極端子を本体ケーシングの貫通孔から本体ケーシング内に入れて、プラグ本体および電極端子を凹部内に収容する。これにより、輸送時に、本体ケーシングの外壁が電極端子で傷付くのを防ごうとしている。
【０００９】
しかしながら、上記従来の加湿装置では、プラグ本体および電極端子が凹部内で移動可能となっているため、ケーシングの内壁や給水タンクの側壁が電極端子で損傷してしまうという問題がある。
【特許文献１】実開平０４−０１９８３号公報
【発明の開示】
【発明が解決しようとする課題】
【００１０】
そこで、本発明の課題は、電極端子による本体ケーシングの損傷を低減できる空気調和機を提供することにある。
【課題を解決するための手段】
【００１１】
上記課題を解決するため、本発明の空気調和機は、
把手部が設けられた本体ケーシングと、
一端が上記本体ケーシングに連接する電源コードと、この電源コードの他端に連接するプラグ本体と、このプラグ本体の先端面から突出する電極端子とを有する電源プラグと
を備え、
上記把手部は、上記プラグ本体および電極端子を収容可能、かつ、上記プラグ本体を係止可能であることを特徴としている。
【００１２】
上記構成の空気調和機によれば、上記プラグ本体および電極端子を把手部に収容し、プラグ本体を把手部に係止する。これにより、上記プラグ本体が本体ケーシングに対して動かないようにし、電極端子が本体ケーシングに接触するのを回避できる。
【００１３】
すなわち、上記把手部によってプラグ本体と共に電極端子を拘束できるので、電極端子による本体ケーシングの損傷を低減できる。
【００１４】
一実施形態の空気調和機では、
上記把手部に上記プラグ本体および電極端子を収容し、上記プラグ本体を係止した状態で、上記電極端子は上記本体ケーシングとの間に隙間を有する。
【００１５】
上記実施形態の空気調和機によれば、上記プラグ本体および電極端子を把手部に収容し、プラグ本体を把手部に係止する。このとき、上記電極端子と本体ケーシングとの間に隙間が形成されるので、電極端子による本体ケーシングの損傷をさらに低減できる。
【００１６】
一実施形態の空気調和機では、
上記把手部は、上記プラグ本体が当接する一対の当接面を有し、
上記当接面同士の間の距離は、上記プラグ本体を挿入する方向に進むにつれて小さくなる。
【００１７】
上記実施形態の空気調和機によれば、上記把手部の当接面同士の間の距離は、プラグ本体を挿入する方向に進むにつれて小さくなるので、当接面同士の間にプラグ本体を挿入すると、プラグ本体は、一対の当接面に当接し、その一対の当接面で挟持される。
【００１８】
したがって、上記当接面同士の間にプラグ本体を挿入するだけで、プラグ本体を把手部に容易に係止することができる。
【００１９】
一実施形態の空気調和機では、
上記把手部は、上記プラグ本体を係止する突起部を有する。
【００２０】
上記実施形態の空気調和機によれば、上記把手部にはプラグ本体を係止する突起部があるので、把手部によるプラグの拘束を確実にすることができる。
【発明の効果】
【００２１】
本発明の空気調和機によれば、把手部にプラグ本体および電極端子を収容し、プラグ本体を把手部に係止することによって、把手部がプラグ本体と共に電極端子を拘束するので、電極端子による本体ケーシングの損傷を低減できる。
【発明を実施するための最良の形態】
【００２２】
以下、本発明を図示の実施の形態により詳細に説明する。
【００２３】
本発明の一実施の形態の空気清浄機は、図１に示すように、ケーシング１を備え、このケーシング１は、ケーシング本体２と、このケーシング本体２に着脱可能に取り付けられた前面パネル３とからなる。なお、上記ケーシング１が本体ケーシングの一例である。
【００２４】
上記ケーシング１の両側面には吸込口５を設け、ケーシング１の上面の後部に吹出口６を設けている。
【００２５】
このように、上記空気清浄機では、吸込口５をケーシング１の側面に設け、吹出口６をケーシング１の上面に設けて、ケーシング１の後面７には吸込口および吹出口を無くしているから、この空気清浄機のケーシング１の後面７は、図示しない部屋の壁面に密着させることができて、この空気清浄機の設置の自由度が高くなっている。
【００２６】
従来の空気清浄機は、吸込口がケーシングの後面にあるため、そのケーシングと部屋の壁面との間にある程度の大きさの隙間をあけないと、吸込抵抗が大きくなるため、部屋の壁面に密着させることができなくて、その設置の自由度が低かったのである。
【００２７】
また、上記空気清浄機は、図２に示すように、電源プラグ１０２を備え、この電源プラグ１０２は、一端がケーシング本体２に連接する電源コード１０３と、この電源コード１０３の他端に連接するプラグ本体１０４と、このプラグ本体１０４の先端面から突出する一対の電極端子１０５，１０５とを有する。
【００２８】
図１および２に示すように、上記ケーシング本体２の上部の各側面には、凹部からなる把手部１０１が設けられている。この把手部１０１は、プラグ本体１０４および電極端子１０５，１０５を収容可能、かつ、プラグ本体１０４を係止可能な形状を有している。したがって、上記把手部１０１にプラグ本体１０４および電極端子１０５，１０５を収容し、プラグ本体１０４を把手部１０１に係止することにより、プラグ本体１０４がケーシング本体２に対して動かないようにし、電極端子１０５，１０５によるケーシング本体２の損傷を低減できる。
【００２９】
上記把手部１０１は、底面１０６と、この底面１０６に連なってプラグ本体１０４が当接する一対の当接面１０７，１０７と、底面１０６に連なって電極端子１０５に対向する前面１０８とを含む。
【００３０】
上記当接面１０７，１０７は互いに非平行になっており、当接面１０７と他の当接面１０７との間の距離がプラグ本体１０４を挿入する方向に進むにつれて小さくなっている。つまり、上記把手部１０１の上下方向の幅は、ケーシング本体２の後部側から前面パネル３側に近づくにつれて徐々に狭くなっている。これにより、上記ケーシング本体２の後部側からプラグ本体１０４を把手部１０１内に挿入し、前面パネル３側へ進めて行くと、プラグ本体１０４は、両当接面１０７，１０７に当接し、その当接面１０７，１０７で挟持される。したがって、上記プラグ本体１０４を把手部１０１に容易に係止することができる。
【００３１】
上記把手部１０１にプラグ本体１０４を係止した状態において、電極端子１０５，１０５は底面１０６、当接面１０７，１０７および前面１０８との間に隙間を有する。したがって、上記電極端子１０５，１０５が当接面１０７，１０７および前面１０８を傷付けるのを防ぐことができる。
【００３２】
また、上記実施形態の空気清浄機では、プラグ本体１０４および電極端子１０５，１０５を収容および係止する把手部１０１は、ケーシング１を貫通するものではなく、凹部であるから、把手部１０１を介してケーシング１内に埃などの異物が入らない。したがって、上記異物がケーシング１内に入って引き起こす故障を防ぐことができる。
【００３３】
実開平０４−０１９８３号公報では、本体ケーシング内にプラグ本体および電極端子を収容するために、本体ケーシングに貫通孔を設けている。このため、上記貫通孔から埃などの異物が本体ケーシング内に入って故障を引き起こすことがある。
【００３４】
また、上記実施形態の空気清浄機では、把手部１０１が、プラグ本体１０４および電極端子１０５，１０５を収容および係止するので、把手部１０１以外に、プラグ本体１０４および電極端子１０５，１０５を収容および係止するための例えば凹部を、ケーシング１に設けなくてもよい。したがって、上記ケーシング１の美観が低下するのを防ぐことができ、ケーシング１のデザインの自由度を高くできる。
【００３５】
なお、図２では、吸込口５および吹出口６の図示を省略している。
【００３６】
上記実施の形態において、一組の当接面１０７，１０７の代わりに、図３に示す一組の当接面２０７，２０７を用いてもよい。この各当接面２０７には、プラグ本体１０４を係止する突起部２０５が設けられている。
【００３７】
上記突起部２０５があることによって、プラグ本体１０４の係止を確実に行うことができる。
【００３８】
また、上記プラグ本体１０４の係止できるのであれば、互いに平行な一組の当接面を用いてもよい。この各当接面に、突起部２０５と同様の突起部を設けてもよい。
【００３９】
また、上記把手部１０１の底面１０６に対向する開口面の少なくとも一部を塞いで、手が内に入り込んで把持できる構造にしてもよい。上記開口面の少なくとも一部を塞ぐことにより、プラグ本体１０４の横方向のずれを防止することができる。
【００４０】
本発明は、空気清浄機以外にも、冷房、暖房、除湿、加湿などのうちの少なくとも１つを行なう空気調和機にも適用することができる。
【図面の簡単な説明】
【００４１】
【図１】図１は本発明の一実施の形態の空気清浄機の斜視図である。
【図２】図２は上記空気調和機の概略斜視図である。
【図３】図３は上記空気調和機の変形例の概略斜視図である。
【符号の説明】
【００４２】
１  ケーシング
２  ケーシング本体
３  前面パネル
１０１  把手部
１０２  電源プラグ
１０３  電源コード
１０４  プラグ本体
１０５  電極端子
１０７，２０７  当接面
２０８  突起部
【図１】
2010054126.tif 000003
【図２】
2010054126.tif 000004
【図３】
2010054126.tif 000005